(57)【要約】【課題】装着感に優れており転倒時の骨折を予防しうる人体保護具２の提供。【解決手段】この人体保護具２は、緩衝体６を備えている。この緩衝体６は、変形復元性を有する多孔質体１６と、この多孔質体１６を気密に包み込む袋体１８と、この袋体１８の内に気体を吸入する吸気手段２０と、この袋体１８の外に気体を排出する排気手段２２と、この吸気手段２０をこの多孔質体１６から隔離する仕切り２４とを備えている。この袋体１８の内に吸入される気体の単位時間当たりの量は、この袋体１８の外に排出される気体の単位時間当たりの量よりも大きい。好ましくは、この人体保護具２では、上記吸気手段として、吸気弁２０が用いられる。この吸気弁２０は、吸気方向に開かれ、排気方向に閉じられる。この吸気弁２０は、上記仕切りの内側に配置されている。この吸気弁２０の外縁４６とこの仕切り２４の内面４２とは、非接触状態にある。【選択図】図３
2007211352.tif 000002
【特許請求の範囲】
【請求項１】
緩衝体と、この緩衝体が収容される装着体とを備えており、
この緩衝体が、変形復元性を有する多孔質体と、この多孔質体を気密に包み込む袋体と、この袋体内に気体を吸入する吸気手段と、この袋体外に気体を排出する排気手段と、この吸気手段をこの多孔質体から隔離する仕切りとを備えており、
この袋体内に吸入される気体の単位時間当たりの量が、この袋体外に排出される気体の単位時間当たりの量よりも大きい人体保護具。
【請求項２】
上記吸気手段として、吸気方向に開かれるとともに排気方向に閉じられる吸気弁が用いられており、
この吸気弁が、上記仕切りの内側に配置されており、
この吸気弁の外縁とこの仕切りの内面とが、非接触状態にある請求項１に記載の人体保護具。
【請求項３】
上記仕切りが、リングからなる請求項２に記載の人体保護具。
【請求項４】
上記仕切りが、キャップからなる請求項２に記載の人体保護具。
【請求項５】
上記仕切りが、容器からなる請求項２に記載の人体保護具。
【請求項６】
上記排気手段と上記吸気手段とが、一体的に形成されている請求項１から５のいずれかに記載の人体保護具。
【発明の詳細な説明】
【技術分野】
【０００１】
本発明は、転倒時におけるヒトへの衝撃を緩和する人体保護具に関する。
【背景技術】
【０００２】
高齢者人口の増加に伴い、高齢者が転倒して骨折する事故が増えている。特に、大腿骨頸部骨折は、増加の傾向にある。この大腿骨頸部骨折の完全治癒には、時間がかかる。この大腿骨頸部骨折が原因で、高齢者が寝たきりとなってしまう事例もある。この大腿骨頸部骨折は大きな社会問題となりつつあり、その予防が強く求められている。
【０００３】
大腿骨頸部骨折を防止するために、種々の保護具の提案がなされている。例えば、特表平９−５０８８２４号公報には、人の大腿骨頚部周りの体型に合うように凹状の側面を備えたドーム形部材を有するヒッププロテクターが記載されている。このヒッププロテクターの表面全体は、剛性のポリプロピレンフォーム等の独立気泡形熱可塑性材料からなり、ドーム形の硬質なシェルとして形成されている。
【０００４】
上記のヒッププロテクターと同様にドーム型に形成されたシェルが大腿骨頸に相当する部分をカバーするように収容されたズボンの提案もある（特表平１０−５１２０１６号公報）。このシェルは、偏平方向圧縮強度と横方向圧縮強度で規定される可撓性を備えている。このシェルの剛性は高いので、大きな衝撃に対する防護効果は緩衝材のみからなるヒッププロテクターに比べて大きい。
【０００５】
常時装着できる衣類装着用として、アクリル系共重合体からなる衝撃吸収パッドが提案されている（特開平９−２６８４０９号公報）。この衝撃吸収パッドでは、装着して違和感のない軟らかさと衝撃吸収機能とのバランスが考慮されている。
【特許文献１】特表平９−５０８８２４号公報
【特許文献２】特表平１０−５１２０１６号公報
【特許文献３】特開平９−２６８４０９号公報
【発明の開示】
【発明が解決しようとする課題】
【０００６】
大腿骨頸部骨折の多くは、寝床から離床するときに発生すると言われている。上記公報に記載された人体保護具では、衝撃を吸収する部材の剛性が高いので、ヒトは寝返りの際に突き上げ感を感じてしまう。この人体保護具は、就寝時に身体から外されてしまう。この人体保護具は、装着感に劣るので常時着用されないという問題がある。この人体保護具では、大腿骨頸部骨折を未然に防ぐことは難しい。
【０００７】
装着して違和感のない軟らかさと衝撃吸収機能とのバランスが考慮された人体保護具は、その装着感が高められているために就寝時も着用されうる。しかし、この人体保護具の衝撃吸収性は充分ではない。この人体保護具においても、大腿骨頸部骨折を未然に防ぐことは難しい。
【０００８】
本発明の目的は、装着感に優れており転倒時の骨折を予防しうる人体保護具の提供にある。
【課題を解決するための手段】
【０００９】
本発明に係る人体保護具は、緩衝体と、この緩衝体が収容される装着体とを備えている。この緩衝体は、変形復元性を有する多孔質体と、この多孔質体を気密に包み込む袋体と、この袋体内に気体を吸入する吸気手段と、この袋体外に気体を排出する排気手段と、この吸気手段をこの多孔質体から隔離する仕切りとを備えている。この袋体内に吸入される気体の単位時間当たりの量は、この袋体外に排出される気体の単位時間当たりの量よりも大きい。
【００１０】
好ましくは、この人体保護具では、上記吸気手段として、吸気弁が用いられる。この吸気弁は、吸気方向に開かれ、排気方向に閉じられる。この吸気弁は、上記仕切りの内側に配置されている。この吸気弁の外縁とこの仕切りの内面とは、非接触状態にある。
【００１１】
好ましくは、この人体保護具では、上記仕切りは、リングからなる。好ましくは、この人体保護具では、上記仕切りは、キャップからなる。好ましくは、この人体保護具では、上記仕切りは、容器からなる。
【００１２】
好ましくは、この人体保護具では、上記排気手段と上記吸気手段とは、一体的に形成されている。
【発明の効果】
【００１３】
この人体保護具では、就寝時に排気手段から気体が徐々に排出されることにより、この緩衝体はヒトに沿った形状を呈する。この人体保護具では、装着による違和感を感じることはない。この人体保護具は、装着感に優れる。この人体保護具では、吸気手段が仕切りで多孔質体から隔離されるので、この吸気手段が多孔質体に接触することはない。この吸気手段の開閉動作は、多孔質体によって阻害されない。この人体保護具は、転倒時の骨折を確実に予防しうる。
【発明を実施するための最良の形態】
【００１４】
以下、適宜図面が参照されつつ、好ましい実施形態に基づいて本発明が詳細に説明される。
【００１５】
図１（ａ）は本発明の一実施形態に係る人体保護具２の使用状態が示された正面図であり、図１（ｂ）はその側面図であり、図１（ｃ）はその背面図である。この図１には、ヒト４と人体保護具２とが示されている。この人体保護具２は、緩衝体６と、この緩衝体６が収容されうる装着体８とを備えている。この装着体８は、ヒト４に巻かれるベルト１０と、このベルト１０に吊された尻当て１２とを備えている。この尻当て１２は、左右一対のポケット１４を備えている。このポケット１４は、この緩衝体６を収容する。この人体保護具２では、この緩衝体６が大腿骨頸部の直上に位置するように、このポケット１４は装着体８に配置されている。
【００１６】
図２は、図１の人体保護具２の緩衝体６が示された一部切り欠き斜視図である。この緩衝体６の平面形状は、矩形である。この緩衝体６の典型的なサイズとしては、縦が１４０ｍｍであり、横が１４０ｍｍであり、そして厚みが２０ｍｍである。
【００１７】
図３は、図２のIII−III線に沿った断面図である。図４は、図２のIV−IV線に沿った断面図である。緩衝体６は、多孔質体１６と、袋体１８と、吸気手段としての吸気弁２０と、排気手段としての排気弁２２と、仕切りとしてのリング２４とを備えている。
【００１８】
多孔質体１６は、ポリマー成形体である。図示されていないが、この多孔質体１６は、その内部に気泡を有する。特に、この多孔質体１６は、連続気泡を備えている。この多孔質体１６は荷重によって容易に変形し、荷重の除去によって直ちに復元する。図３に示されているように、リング２４の配置箇所にある多孔質体１６は、このリング２４で押さえられることにより凹んでいる。この多孔質体１６が、このリング２４の形状、大きさ等が考慮された形状に予め形成されているのがより好ましい。なお、この多孔質体１６に、複数の気泡と、これらの気泡が連通される通路とを備えたポリマー成形体が用いられてもよい。
【００１９】
袋体１８は、合成樹脂製のフィルムからなる。この袋体１８は、多孔質体１６を気密に包み込む。この袋体１８は、第一取付孔２６と、第二取付孔２８と、４つの通気口３０とを備えている。この通気口３０は、第一取付孔２６から等しい距離に等しい間隔で配置されている。この人体保護具２では、この袋体１８と多孔質体１６とは接合されていない。なお、この人体保護具２の仕様が考慮されて、この袋体１８と多孔質体１６とが接合されてもよい。
【００２０】
吸気弁２０は、支持体３２と、この支持体３２が中心とされて放射状に拡がる傘部３４とを備えている。この傘部３４は、上下に動きうる。この支持体３２が第一取付孔２６に嵌め込まれることにより、この吸気弁２０は袋体１８に固定される。
【００２１】
排気弁２２は、筒体３６と、この筒体３６の中心に排気口３８とを備える。この筒体３６が第二取付孔２８に嵌め込まれることにより、この排気弁２２は袋体１８に固定される。この排気口３８を介して、緩衝体６の内部と外部とが繋げられている。
【００２２】
図５は、図２の緩衝体６に備えられるリング２４が示された斜視図である。このリング２４は、硬質な部材からなる。このリング２４の水平方向の断面において、このリング２４の外面４０及び内面４２の形状は、円である。このリング２４の内側に、吸気弁２０が配置される。このリング２４は、袋体１８の内面４４に固定される。このリング２４の形状及び大きさは、この人体保護具２の仕様が考慮されて、適宜決められる。
【００２３】
リング２４の材質としては、合成高分子材料であるのが好ましい。合成高分子材料としては、プラスチック材料及びゴム材料が例示される。汎用性及び加工性の観点から、プラスチック材料が好ましい。プラスチック材料としては、ポリ塩化ビニル、ポリスチレン、ポリエチレン、ポリプロピレン、ポリアセタール、ポリウレタン及びナイロンが例示される。この人体保護具２では、このリング２４は硬質なポリ塩化ビニルからなる。このリング２４は、射出成形により形成されている。なお、このリング２４が、パイプ状に成形された部材が所定の長さに切断されることにより形成されてもよい。このリング２４が、棒状に成形された部材が切削加工されることにより形成されてもよい。
【００２４】
この人体保護具２では、通気口３０は、傘部３４の外縁４６よりも内側に配置されている。前述したように、この傘部３４は上下に動きうる。この緩衝体６の内圧が大気圧と等しい場合、この傘部３４は上方に位置し、この外縁４６が袋体１８の内面４４と接触している。この緩衝体６の内圧が大気圧よりも高い場合においても、この外縁４６と内面４４との接触は維持されうる。この外縁４６と内面４４との接触により、この通気口３０を通じた気体の流通が遮蔽される。この傘部３４は、シールとして機能する。この緩衝体６の内圧が大気圧よりも低い場合、この傘部３４が下方に動きこの外縁４６がこの内面４４から離れる。この通気口３０を通じた気体の流通が可能となる。この緩衝体６では、その内圧が下がると吸気弁２０を通じて気体が吸入される。この緩衝体６の内圧が上がると気体の吸入が止まる。この吸気弁２０は、吸気方向に開かれ、排気方向に閉じられる。この吸気弁２０は、逆止弁として機能する。この緩衝体６の内部への気体の吸入量は、この緩衝体６に備えられる通気口３０の合計断面積が調整されることにより、制御される。なお、この吸気弁２０の位置及び構造は、この人体保護具２の仕様が考慮されて適宜決められる。
【００２５】
この人体保護具２では、緩衝体６の内部にある気体は、排気弁２２を通じてこの緩衝体６の外部に排出される。この緩衝体６に備えられる排気口３８の合計断面積が調整されることにより、この緩衝体６の外部への気体の排出量が制御される。この緩衝体６は、排気口３８の合計断面積が、通気口３０の合計断面積よりも小さくなるように構成されている。従って、この人体保護具２では、この緩衝体６の内部に吸入される気体の単位時間当たりの量は、この緩衝体６の外部に排出される気体の単位時間当たりの量よりも大きい。なお、この排気弁２２の位置及び構造は、この人体保護具２の仕様が考慮されて適宜決められる。
【００２６】
この人体保護具２を装着したヒト４が転倒して緩衝体６が圧縮されると、この緩衝体６の内圧は高まる。この緩衝体６の外部に排出される気体の単位時間当たりの量は小さいので、この緩衝体６は内圧が高められた状態を維持する。この緩衝体６は、エアースプリングとして機能し、転倒時におけるヒト４への衝撃を緩和する。
【００２７】
この人体保護具２を装着したままヒト４が就寝すると、この緩衝体６にはヒト４の体重がかかる。この場合においても、この緩衝体６は圧縮されるので、この緩衝体６の内圧が高まり、排気弁２２を通じて気体が徐々に排出される。気体が排出しつつ、多孔質体１６が荷重により容易に変形するので、この緩衝体６は就寝時の体の動きに合わせて変形する。この緩衝体６は、就寝しているヒト４に違和感を与えない。この人体保護具２は、装着感に優れる。
【００２８】
この人体保護具２を装着したヒト４が起床すると、緩衝体６に掛かっていた荷重が除去される。圧縮により変形していた緩衝体６は、多孔質体１６の復元力によりその形状を復元していく。就寝時の圧縮変形により、この緩衝体６の内部にある気体の量は減少している。この緩衝体６の形状復元過程では、この緩衝体６の体積が増えていく。多孔質体１６の復元力によりこの緩衝体６の内圧は下がるので、吸気弁２０が開き、この吸気弁２０を通じてこの緩衝体６の内部に気体が吸入される。前述したように、この緩衝体６の内部に吸入される気体の単位時間当たりの量は大きいので、荷重が除去されてから短時間で緩衝体６の形状は復元し、この緩衝体６の内部に十分な量の気体が吸入される。このような緩衝体６は、起床直後にヒト４が転倒した場合でも、骨折を防止できる。
【００２９】
この人体保護具２では、リング２４の内径は吸気弁２０の外径よりも大きい。このリング２４の内面４２と傘部３４の外縁４６とは、非接触状態にある。このリング２４は、この外縁４６を多孔質体１６から隔離している。衝撃が加えられることにより多孔質体１６が圧縮変形しても、この多孔質体１６とこの外縁４６とが接触することはない。この吸気弁２０の開閉動作は、阻害されない。この人体保護具２は、転倒時の骨折を確実に予防しうる。
【００３０】
この人体保護具２では、リング２４が硬質な部材で構成されているので、ヒトがこの人体保護具２を装着した状態で就寝してもこのリング２４が変形することはない。このリング２４の大きさが大きくなると、人体保護具２の装着感は阻害されてしまう。このため、装着時の違和感が抑えられるために、この人体保護具２に備えられるリング２４の大きさは小さくされるのが好ましい。
【００３１】
図３において、両矢印線ＷＡはリング２４の内径を表している。両矢印線ＷＢは、吸気弁２０の外径を表している。両矢印線ＨＡは、このリング２４の高さを表している。点ＰＡは、この吸気弁２０の多孔質体１６の側の面における支持体３２と傘部３４との境界である。両矢印線ＨＢは、この点ＰＡにおけるこの支持体３２の厚みを表している。なお、厚みＨＢは、この吸気弁２０が袋体１８から外された状態で計測される。
【００３２】
この人体保護具２では、内径ＷＡと外径ＷＢとの差は０．５ｍｍ以上１０．０ｍｍ以下であるのが好ましい。この差が０．５ｍｍ以上に設定されることにより、外縁４６の動きが阻害されない。この人体保護具２では、吸気弁２０が確実に開閉する。この観点から、この差は０．７ｍｍ以上がより好ましく、１．０ｍｍ以上が特に好ましい。この差が１０．０ｍｍ以下に設定されることにより、装着時の違和感が抑えられる。この観点から、この差は９．０ｍｍ以下がより好ましく、８．０ｍｍ以下が特に好ましい。
【００３３】
この人体保護具２では、厚みＨＢに対する高さＨＡの比率（ＨＡ／ＨＢ）は０．５以上５．０以下であるのが好ましい。この比率が０．５以上に設定されることにより、外縁４６の動きが阻害されない。この人体保護具２では、吸気弁２０が確実に開閉する。この観点から、この比率は０．８以上がより好ましく、１．０以上が特に好ましい。この比率が５．０以下に設定されることにより、装着時の違和感が抑えられる。この観点から、この比率は３．０以下がより好ましく、２．０以下が特に好ましい。
【００３４】
この人体保護具２の製造方法は、次の通りである。まず、袋体１８及びこの袋体１８に収容される多孔質体１６が形成される。この袋体１８には、この多孔質体１６が挿入されうる挿入口が形成されている。次に、この袋体１８の所定の箇所に、第一取付孔２６、第二取付孔２８及び通気口３０が打ち抜きによって形成される。次に、この第一取付孔２６に吸気弁２０が取り付けられる。次に、この吸気弁２０が内側に配置されるようにリング２４が袋体１８の内面４４に固定される。この固定には、市販の接着剤が用いられる。次に、この第二取付孔２８に排気弁２２が取り付けられる。次に、この多孔質体１６が、この挿入口を通じてこの袋体１８に収容される。次に、この挿入口が、熱溶着によって閉じられる。このようにして、緩衝体６が形成される。最後に、この緩衝体６が、装着体８に収容されて、図１に示された人体保護具２が完成する。なお、この人体保護具２が別の方法で製造されてもよい。
【００３５】
多孔質体１６の気泡は、化学的又は物理的な処理が用いられることにより得られる。この処理としては、化学反応途中の揮発性のガスが利用される方法、炭酸水素ナトリウム、アゾジカルボンアミド、ニトロソペンタメチレンテトラミン等の発泡剤が利用される方法、及び攪拌による気体の巻き込みが利用される方法が例示される。連続気泡の好適な形成方法としては、爆発法及び溶出法が例示される。この爆発法では、高圧力の気体で気泡の壁が破裂されることにより、連続気泡が形成される。この溶出法では、炭酸カルシウムの微粉末が混合された材料から形成されたブロックが塩酸水溶液に漬けられる。この塩酸水溶液への浸積により、このブロックに混合された炭酸カルシウムが溶出される。この炭酸カルシウムの溶出により、連続気泡が形成される。
【００３６】
多孔質体１６の基材ポリマーとしては、合成樹脂及びゴムが例示される。合成樹脂としては、ポリウレタン、ポリエステル、ポリアミド、ポリオレフィン、ポリスチレン、ポリ塩化ビニル、エチレン−酢酸ビニル共重合体、シリコーン及び各種熱可塑性エラストマーが例示される。ゴムとしては、天然ゴム、ポリイソプレン、ポリブタジエン、ブタジエン−スチレン共重合体、アクリロニトリル−ブタジエン共重合体及びエチレン−プロピレン−ジエン共重合体が例示される。加工性の観点から、ポリウレタンが好ましい。ポリウレタンとしては、エステル系ポリウレタン及びエーテル系ポリウレタンが例示される。形状復元性の観点から、エーテル系ポリウレタンがより好ましい。
【００３７】
袋体１８の基材ポリマーとしては、ポリウレタン、ポリオレフィン、ポリ塩化ビニル、ナイロン及びポリエステルが例示される。ポリオレフィンの具体例としては、ポリエチレン及びポリプロピレンが挙げられる。材質の異なる複数のフィルムが積層されて、袋体１８が形成されてもよい。袋体１８の気密性が高められるために、フィルム状に加工されたアルミニウムが積層されたアルミラミネートフィルムがこの袋体１８に用いられてもよい。
【００３８】
吸気弁２０が構成される架橋ゴムの基材ゴムとしては、アクリロニトリル−ブタジエンゴム、水添アクリロニトリル−ブタジエンゴム、シリコーンゴム、フロロシリコーンゴム、エチレン−プロピレン−ジエンゴム、ブチルゴム、フッ素ゴム、イソプレンゴム、エピクロルヒドリンゴム、クロロプレンゴム、ウレタンゴム、スチレン−ブタジエンゴム及びアクリルゴムが例示される。なお、軟質な合成樹脂から、この吸気弁２０が形成されてもよい。
【００３９】
以下、この緩衝体６における気体の排出及び吸入の速度の測定方法が説明される。まず、緩衝体６の平面４８に、縦が１４０ｍｍであり、横が１４０ｍｍであり、厚みが１．０ｍｍの鋼板が載置される。次に、この鋼板に、１１ｋｇの錘が載せられる。すると、緩衝体６は徐々に変形し、やがて変形が停止する。錘が載せられてから変形が停止するまでの時間Ｔ１が、測定される。次に、錘がこの鋼板から降ろされる。すると緩衝体６は徐々に復元し、やがて復元が停止する。錘がこの鋼板から降ろされてから復元が停止するまでの時間Ｔ２が、測定される。
【００４０】
骨折防止の観点から、時間Ｔ１は１．０秒以上が好ましく、２．０秒以上が特に好ましい。就寝時の着用感の観点から、時間Ｔ１は１０．０秒以下が好ましく、４．０秒以下が特に好ましい。起床直後の転倒によっても骨折が防止されるとの観点から、時間Ｔ２は１．０秒未満が好ましく、０．８秒以下が特に好ましい。時間Ｔ２は、通常は０．０１秒以上である。
【００４１】
図６は、本発明の他の実施形態に係る人体保護具５０に備えられている緩衝体５２の一部が示された拡大断面図である。この緩衝体５２は、多孔質体５４と、袋体５６と、吸気手段としての吸気弁５８と、排気手段としての排気弁と、仕切りとしてのキャップ６０とを備えている。この人体保護具５０では、このキャップ６０以外は、図１の人体保護具２と同じ構成とされている。なお、この図６において、この排気弁は図示されていない。
【００４２】
図７は、図６の緩衝体５２に備えられているキャップ６０が示された斜視図である。このキャップ６０は、硬質な部材からなる。このキャップ６０は、リング６２と、蓋６４とを備えている。このリング６２の水平方向の断面において、このリング６２の外面６６及び内面６８の形状は、円である。この蓋６４は、このリング６２の一方の開口部を塞いでいる。このリング６２と蓋６４とは、一体的に形成されている。この蓋６４は、４つの通気口７０を備えている。この通気口７０は、このキャップ６０の中心から等しい距離に等しい間隔で配置されている。この通気口７０を通じて、吸入された気体が多孔質体５４に導入される。このキャップ６０の形状、大きさ等は、この人体保護具５０の仕様が考慮されて、適宜決められる。なお、この人体保護具５０では、このキャップ６０の材質は、ポリ塩化ビニルである。
【００４３】
この人体保護具５０では、吸気弁５８はキャップ６０の内側に配置されている。このキャップ６０は、蓋６４がこの袋体５６の内面７２と反対側に位置するように配置される。このキャップ６０は、袋体５６の内面７２に固定されている。このキャップ６０は、この吸気弁５８を多孔質体５４から隔離している。このキャップ６０を構成しているリング６２の内径は、この吸気弁５８を構成する傘部７４の外径よりも大きい。このリング６２の内面６８とこの傘部７４の外縁７６とは、非接触状態にある。この人体保護具５０では、このキャップ６０が蓋６４を備えているので、多孔質体５４とこの外縁７６とは常に接触しない。この吸気弁５８の開閉動作は、常に維持されうる。この人体保護具５０は、転倒時の骨折を確実に予防しうる。
【００４４】
図８は、本発明のさらに他の実施形態に係る人体保護具７８の緩衝体８０が示された一部切り欠き斜視図である。図９は、図８のIX−IX線に沿った断面図である。この緩衝体８０は、多孔質体８２と、袋体８４と、通気体８６とを備えている。この緩衝体８０のサイズ及び形状は、図２に示された緩衝体６と同じである。この多孔質体８２は、図１の人体保護具２と同じ構成とされている。
【００４５】
袋体８４は、合成樹脂製のフィルムからなる。この袋体８４は、多孔質体８２を気密に包み込む。この袋体８４は、円形の開口部８８を備えている。この開口部８８に通気体８６が取り付けられる。
【００４６】
通気体８６は、通気弁９０と仕切りとしての容器９２とを備えている。この通気弁９０は、吸気手段としての吸気弁９４と、排気手段としての排気弁９６とを備えている。この吸気弁９４は、支持体９８と、この支持体９８が中心とされて放射状に拡がる傘部１００とを備えている。この支持体９８は、その中心に第一取付孔１０２を備えている。この傘部１００は、上下に動きうる。この排気弁９６は、筒体１０４と、この筒体１０４の中心に排気口１０６とを備えている。この筒体１０４がこの第一取付孔１０２に嵌め込まれることにより、この排気弁９６は吸気弁９４に固定される。この人体保護具７８では、この吸気弁９４と排気弁９６とが一体的に形成されている。この排気口１０６を介して、緩衝体８０の内部と外部とが繋げられている。なお、この排気弁９６と後述する上蓋とが一体的に形成されてもよい。
【００４７】
図１０は、図８の緩衝体８０に備えられている容器９２が示された斜視図である。この容器９２は、円筒状である。この容器９２は、硬質な部材からなる。この容器９２は、上蓋１０８と、キャップ１１０とを備えている。この上蓋１０８は、第二取付孔１１２と４の第一通気口１１４とを備えている。この第一通気口１１４は、この第二取付孔１１２から等しい距離に等しい間隔で配置されている。この第一通気口１１４を通じて、緩衝体８０の外部の気体が、この緩衝体８０の内部に導入される。このキャップ１１０は、リング１１６と下蓋１１８とを備えている。このリング１１６と下蓋１１８とは、一体的に形成されている。このリング１１６は、多数の第二通気口１２０を備えている。この第二通気口１２０は、このリング１１６の周方向に等しい間隔で並んでいる。この下蓋１１８は、第三取付孔１２２及び第三通気孔１２３を備えている。図示されていないが、この第三通気孔１２３は、この第三取付孔１２２から等しい距離に等しい間隔で配置されている。この第二通気口１２０及び第三通気孔１２３を通じて、吸入された気体が多孔質体８２に導入される。
【００４８】
この人体保護具７８では、傘部１００の外縁１２４が上蓋１０８に接触するように筒体１０４の一方の端１２６が第二取付孔１１２に嵌め込まれる。この筒体１０４の他方の端１２６は、第三取付孔１２２に嵌め込まれる。キャップ１１０の開口部は、この上蓋１０８で塞がれる。このようにして、通気弁９０は容器９２に固定される。
【００４９】
この人体保護具７８では、通気体８６は、袋体８４の開口部８８の下側に配置される。上蓋１０８の表面１２８と袋体８４の内面１３０とは、接合されている。この通気体８６は、袋体８４の内面１３０に固定されている。吸気弁９４は、容器９２の内側に配置されている。この容器９２を構成しているリング１１６の内径は、この吸気弁９４を構成している傘部１００の外径よりも大きい。このリング１１６の内面１３２と傘部１００の外縁１２４とは、非接触状態にある。この容器９２がこの吸気弁９４を多孔質体８２から隔離しているので、この多孔質体８２とこの外縁１２４とは常に接触しない。この吸気弁９４の開閉動作は、常に維持されうる。この人体保護具７８は、転倒時の骨折を確実に予防しうる。
【００５０】
この人体保護具７８では、吸気弁９４、排気弁９６及び容器９２が一の部品としての通気体８６で構成されている。この通気体８６が袋体８４の所定の位置に配置されることにより、この吸気弁９４及び排気弁９６が緩衝体８０に取り付けられる。この吸気弁９４と排気弁９６とが、別個に取り付けられる必要がない。この緩衝体８０の組立は簡単である。このような緩衝体８０が備えられた人体保護具７８は、生産性に優れる。しかも、吸気弁９４の開閉動作は常に維持されうるので、この人体保護具７８の信頼性は高い。
【産業上の利用可能性】
【００５１】
本発明に係る人体保護用具は、ヒトの膝、肘等の防護にも使用されうる。
【図面の簡単な説明】
【００５２】
【図１】図１（ａ）は本発明の一実施形態に係る人体保護具の使用状態が示された正面図であり、図１（ｂ）はその側面図であり、図１（ｃ）はその背面図である。
【図２】図２は、図１の人体保護具の緩衝体が示された一部切り欠き斜視図である。
【図３】図３は、図２のIII−III線に沿った断面図である。
【図４】図４は、図２のIV−IV線に沿った断面図である。
【図５】図５は、図２の緩衝体に備えられるリングが示された斜視図である。
【図６】図６は、本発明の他の実施形態に係る人体保護具に備えられている緩衝体の一部が示された拡大断面図である。
【図７】図７は、図６の緩衝体に備えられているキャップが示された斜視図である。
【図８】図８は、本発明のさらに他の実施形態に係る人体保護具に備えられている緩衝体が示された斜視図である。
【図９】図９は、図８のIX−IX線に沿った断面図である。
【図１０】図１０は、図８の緩衝体に備えられている容器が示された斜視図である。
【符号の説明】
【００５３】
２、５０、７８・・・人体保護具
４・・・ヒト
６、５２、８０・・・緩衝体
８・・・装着体
１０・・・ベルト
１２・・・尻当て
１４・・・ポケット
１６、５４、８２・・・多孔質体
１８、５６、８４・・・袋体
２０、５８、９４・・・吸気弁
２２、９６・・・排気弁
２４、６２、１１６・・・リング
２６、１０２・・・第一取付孔
２８、１１２・・・第二取付孔
３０、７０・・・通気口
３２、９８・・・支持体
３４、７４、１００・・・傘部
３６、１０４・・・筒体
３８、１０６・・・排気口
４０、６６・・・外面
４２、４４、６８、７２、１３０、１３２・・・内面
４６、７６、１２４・・・外縁
４８・・・平面
６０、１１０・・・キャップ
６４・・・蓋
８６・・・通気体
８８・・・開口部
９０・・・通気弁
９２・・・容器
１０８・・・上蓋
１１４・・・第一通気口
１１８・・・下蓋
１２０・・・第二通気口
１２２・・・第三取付孔
１２３・・・第三通気口
１２６・・・端
１２８・・・表面
【図１】
2007211352.tif 000003
【図２】
2007211352.tif 000004
【図３】
2007211352.tif 000005
【図４】
2007211352.tif 000006
【図５】
2007211352.tif 000007
【図６】
2007211352.tif 000008
【図７】
2007211352.tif 000009
【図８】
2007211352.tif 000010
【図９】
2007211352.tif 000011
【図１０】
2007211352.tif 000012